(57)【要約】  この炊飯器は、攪拌回転羽根（５）を回転駆動するために攪拌回転羽根（５）内に一体成型された従動用磁石（７ｂ）、従動用磁石（７ｂ）に非接触でカップリングされ、駆動力を伝達する駆動用磁石（６）と、駆動用磁石（６）を回転させるためのモータ（４）と、駆動用磁石（６）を取り囲み内鍋（２）の凸状突起（２ａ）に嵌合して位置決めを行う円筒状の円筒カバー（９）とを備えている。この構成を採用することにより、内鍋内に攪拌回転羽根を設けた場合に、米の目詰まりを生じさせることなく、また、内鍋を反転させた場合の攪拌回転羽根の内鍋からの落下を防止することのできる構造を備える、炊飯器を提供することが可能となる。
2011068078.tif 000002
【特許請求の範囲】
【請求項１】
内鍋（２）と、
前記内鍋（２）内に収容された米および水を流動させるための水流発生手段（４，５，６，７）と、
を備え、
前記内鍋（２）の底面中央部分には、脱落防止磁性材（２ｂ）が設けられ、
前記水流発生手段は、前記内鍋（２）の外側に位置し、駆動手段（４）により回転可能に設けられた駆動用磁性材（６）と、攪拌回転羽根（５）とを含み、
前記攪拌回転羽根（５）は、前記脱落防止磁性材（２ｂ）に対して対向する位置に配設された羽根側脱落防止用磁性材（８）と、前記駆動用磁性材（６）に対して対向する位置に配設された従動用磁性材（７）とを有し、
前記駆動用磁性材（６）と前記従動用磁性材（７ｂ）との少なくともいずれか一方は、磁化された磁石であり、
前記脱落防止磁性材（２ｂ）と前記羽根側脱落防止用磁性材（８）の少なくともいずれか一方は、磁化された磁石である、
炊飯器。
【請求項２】
前記内鍋（２）の開口部位置から底面に向かう約１／２位置までの間の前記内鍋（２）の側壁（２ｃ）は、ほぼ同面積の開口部面積を有する筒状に設けられ、更に底面に向かう約１／２の間の前記内鍋（２）の側壁（２ｄ）は、内側に向けて傾斜するように設けられ、前記内鍋（２）の底部（２ｅ）面積は前記開口部面積よりも小さくなるように設けられる、請求の範囲第１項に記載の炊飯器。
【請求項３】
前記攪拌回転羽根（５）は、外面に複数のリブを放射状に形成した略半球状の曲面形状を有する、請求の範囲第１項に記載の炊飯器。
【請求項４】
内鍋（２）と、
前記内鍋（２）内に収容された米および水を流動させるための水流発生手段（４，５，６，７）と、
を備え、
前記水流発生手段は、前記内鍋（２）の外側に位置し、駆動手段（４）により回転可能に設けられた駆動用磁性材（６）と、攪拌回転羽根（５）とを含み、
前記攪拌回転羽根（５）は、前記駆動用磁性材（６）に対して対向する位置に配設された従動用磁性材（７）を有し、
前記駆動用磁性材（６）と前記従動用磁性材（７ｂ）との少なくともいずれか一方は、磁化された磁石であり、
前記駆動用磁性材（６）と前記従動用磁性材（７ｂ）とは、前記駆動手段（４）の回転軸（４ａ）と垂直な平面内で結合する、
炊飯器。
【請求項５】
前記内鍋（２）の開口部位置から底面に向かう約１／２位置までの間の前記内鍋（２）の側壁（２ｃ）は、ほぼ同面積の開口部面積を有する筒状に設けられ、更に底面に向かう約１／２の間の前記内鍋（２）の側壁（２ｄ）は、内側に向けて傾斜するように設けられ、前記内鍋（２）の底部（２ｅ）面積は前記開口部面積よりも小さくなるように設けられる、請求の範囲第４項に記載の炊飯器。
【請求項６】
前記攪拌回転羽根（５）は、外面に複数のリブを放射状に形成した略半球状の曲面形状を有する、請求の範囲第４項に記載の炊飯器。
【請求項７】
内鍋（２）と、
前記内鍋（２）内に収容された米および水を流動させるための水流発生手段（４，５，６，７）と、
を備え、
前記内鍋（２）の底面中央部分には、前記内鍋（２）の底部（２ｅ）を外面側から内面側に向けて押出し、内側に向かって突出する凸状突起（２ａ）が設けられ、
前記凸状突起（２ａ）には、突起側脱落防止磁性材（２ｂ）が設けられ、
前記水流発生手段は、前記内鍋（２）の前記凸状突起（２ａ）の外面側に位置し、駆動手段（４）により回転軸周り沿って回転可能に設けられた駆動用磁性材（６）と、前記内鍋（２）の前記凸状突起（２ａ）が嵌合する凹部（５ｂ）が底面側に設けられる攪拌回転羽根（５）とを含み、
前記攪拌回転羽根（５）は、前記突起側脱落防止磁性材（２ｂ）に対して対向する位置に配設された羽根側脱落防止用磁性材（８）と、前記駆動用磁性材（６）に対して対向する位置に配設された従動用磁性材（７）とを有し、
前記駆動用磁性材（６）と前記従動用磁性材（７ｂ）との少なくともいずれか一方は、磁化された磁石であり、
前記突起側脱落防止磁性材（２ｂ）と前記羽根側脱落防止用磁性材（８）の少なくともいずれか一方は、磁化された磁石である、
炊飯器。
【請求項８】
前記内鍋（２）の開口部位置から底面に向かう約１／２位置までの間の前記内鍋（２）の側壁（２ｃ）は、ほぼ同面積の開口部面積を有する筒状に設けられ、更に底面に向かう約１／２の間の前記内鍋（２）の側壁（２ｄ）は、内側に向けて傾斜するように設けられ、前記内鍋（２）の底部（２ｅ）面積は前記開口部面積よりも小さくなるように設けられる、請求の範囲第７項に記載の炊飯器。
【請求項９】
前記攪拌回転羽根（５）は、外面に複数のリブを放射状に形成した略半球状の曲面形状を有する、請求の範囲第７項に記載の炊飯器。
【請求項１０】
前記内鍋（２）の前記凸状突起（２ａ）は、内鍋側平坦部を有し、
前記攪拌回転羽根（５）の前記凹部（５ｂ）は、前記内鍋側平坦部に対向する羽根側平坦部を有し、
前記羽根側平坦部には、前記内鍋側平坦部側に向かって突出する小突起（５ｃ）を有する、請求範囲第７項に記載の炊飯器。
【発明の詳細な説明】
【技術分野】
【０００１】
本発明は、炊飯器の構造に関する。
【背景技術】
【０００２】
従来、特開２０００−３０８５７２号公報（以下、特許文献１）に開示されるように水流発生手段を備え、内鍋内の水を流動し、米への熱伝達を向上させて、沸点未満に加熱制御することで、水蒸気の発生を抑制しつつ、火通りの良い美味なるご飯を炊くことを目的とする炊飯器が開示されている。【０００３】
図１６に、特許文献１の図２に開示される炊飯器２００Ａを示す。炊飯器本体２０１の内部には、内鍋２０２が収容されている。この内釜２０２の底部外側には、内鍋温度検知手段２０４、内鍋加熱手段２０５、および水流発生手段２０３が配置されている。内釜２０２の底部内側には、水流発生手段２０３に設けられ、内釜２０２を貫通する回転軸に固定される攪拌回転羽根２３３が配設されている。攪拌回転羽根２３３は、吸水口２３１および吐出口２３２を有する水流制御板２３０によって覆われている。【０００４】
図１７に、特許文献１の図３に開示される炊飯器２００Ｂを示す。炊飯器本体２０１の内部には、内鍋２０２が収容されている。この内釜２０２の底部外側には、内鍋温度検知手段２０４、内鍋加熱手段２０５、および回転磁界発生手段２３５が配置されている。内釜２０２の底部内側には、磁石２３４を有する攪拌回転羽根２３３が回転可能に配設されている。攪拌回転羽根２３３および回転磁界発生手段２３５により、水流発生手段２０３が構成され、回転磁界発生手段２３５が回転することにより、攪拌回転羽根２３３が回転する。【０００５】
上記構成を備える炊飯器２００Ａにおいては、以下に示す課題が挙げられる。攪拌回転羽根２３３の周囲に水流制御板２３０を設け、攪拌回転羽根２３３の軸方向に吸水口２３１を設け、攪拌回転羽根２３３の軸方向に対して垂直方向に吐出口２３２を設けることで、水流制御板２３０および攪拌回転羽根２３３によりポンプ機能を担保させている。【０００６】
しかし、水流制御板２３０の内部に多くの米が流入する結果、攪拌効果の出る水流が発生しないおそれがある、また、吸水口２３１にフィルタを設けた場合には、米によるフィルタの目詰まりが生じ、同様に攪拌効果の出る水流が発生しないおそれがある。【０００７】
上記構成を備える炊飯器２００Ｂにおいては、以下に示す課題が挙げられる。磁力を用い、回転磁界発生手段２３５と攪拌回転羽根２３３とを着脱できる構成が採用されている。しかし、内鍋２０２を炊飯器本体２０１から外した状態では、攪拌回転羽根２３３は磁力で拘束されないため、内鍋２０２を反対に裏返した場合には、攪拌回転羽根２３３がご飯に埋もれた状態になる（たとえば、すし飯等で内鍋２０２をひっくり返し、ご飯を取り出すような場合）。また、内鍋２０２内にご飯がなく、内鍋２０２を洗浄するような場合には、攪拌回転羽根２３３が内鍋２０２から脱落し、内鍋２０２や攪拌回転羽根２３３自身を損傷させるおそれがある。
【先行技術文献】
【特許文献】
【０００８】
【特許文献１】特開２０００−３０８５７２号公報
【発明の概要】
【発明が解決しようとする課題】
【０００９】
この発明が解決しようとする課題は、内鍋内に攪拌回転羽根以外に水流制御板等を設けた場合には米の目詰まりを生じさせるおそれがある点、攪拌回転羽根の回転に磁力を用いた非接触回転構造を採用した際、内鍋を反転させた場合には、ご飯に攪拌回転羽根が埋まってしまうことや、攪拌回転羽根が内鍋から落下してしまう点にある。したがって、この発明の目的は、内鍋内に攪拌回転羽根を設けた場合に、米の目詰まりを生じさせることなく、また、内鍋を反転させた場合の攪拌回転羽根の内鍋からの落下を防止することのできる構造を備える、炊飯器を提供することである。
【課題を解決するための手段】
【００１０】
この発明に基づいた炊飯器においては、内鍋と、上記内鍋内に収容された米および水を流動させるための水流発生手段とを備え、上記内鍋の底面中央部分には、脱落防止磁性材が設けられ、上記水流発生手段は、上記内鍋の外側に位置し、駆動手段により回転可能に設けられた駆動用磁性材と、攪拌回転羽根とを含み、上記攪拌回転羽根は、上記脱落防止磁性材に対して対向する位置に配設された羽根側脱落防止用磁性材と、上記駆動用磁性材に対して対向する位置に配設された従動用磁性材とを有している。【００１１】
上記駆動用磁性材と上記従動用磁性材との少なくともいずれか一方は、磁化された磁石であり、上記脱落防止磁性材と上記羽根側脱落防止用磁性材の少なくともいずれか一方は、磁化された磁石である。【００１２】
上記炊飯器の他の形態においては、上記内鍋の開口部位置から底面に向かう約１／２位置までの間の上記内鍋の側壁は、ほぼ同面積の開口部面積を有する筒状に設けられ、更に底面に向かう約１／２の間の上記内鍋の側壁は、内側に向けて傾斜するように設けられ、上記内鍋の底部面積は上記開口部面積よりも小さくなるように設けられる。【００１３】
上記いずれかの炊飯器の他の形態においては、上記攪拌回転羽根は、外面に複数のリブを放射状に形成した略半球状の曲面形状を有する。【００１４】
この発明に基づいた他の炊飯器においては、内鍋と、上記内鍋内に収容された米および水を流動させるための水流発生手段とを備え、上記水流発生手段は、上記内鍋内の外側に位置し、駆動手段により回転可能に設けられた駆動用磁性材と、攪拌回転羽根とを含み、上記攪拌回転羽根は、上記駆動用磁性材に対して対向する位置に配設された従動用磁性材を有している。【００１５】
上記駆動用磁性材と上記従動用磁性材との少なくともいずれか一方は、磁化された磁石であり、上記駆動用磁性材と上記従動用磁性材とは、上記駆動手段の回転軸と垂直な平面内で結合する。【００１６】
上記炊飯器の他の形態においては、上記内鍋の開口部位置から底面に向かう約１／２位置までの間の上記内鍋の側壁は、ほぼ同面積の開口部面積を有する筒状に設けられ、更に底面に向かう約１／２の間の上記内鍋の側壁は、内側に向けて傾斜するように設けられ、上記内鍋の底部面積は上記開口部面積よりも小さくなるように設けられる。【００１７】
上記いずれかの炊飯器の他の形態においては、上記攪拌回転羽根は、外面に複数のリブを放射状に形成した略半球状の曲面形状を有する。【００１８】
この発明に基づいたさらに他の炊飯器においては、内鍋と、上記内鍋内に収容された米および水を流動させるための水流発生手段とを備え、上記内鍋の底面中央部分には、上記内鍋の底部を外面側から内面側に向けて押出し、内側に向かって突出する凸状突起が設けられている。【００１９】
上記凸状突起には、突起側脱落防止磁性材が設けられ、上記水流発生手段は、上記内鍋の上記凸状突起の外面側に位置し、駆動手段により回転軸周り沿って回転可能に設けられた駆動用磁性材と、上記内鍋の上記凸状突起が嵌合する凹部が底面側に設けられる攪拌回転羽根とを含み、上記攪拌回転羽根は、上記突起側脱落防止磁性材に対して対向する位置に配設された羽根側脱落防止用磁性材と、上記駆動用磁性材に対して対向する位置に配設された従動用磁性材とを有している。【００２０】
上記駆動用磁性材と上記従動用磁性材との少なくともいずれか一方は、磁化された磁石であり、上記突起側脱落防止磁性材と上記羽根側脱落防止用磁性材の少なくともいずれか一方は、磁化された磁石である。【００２１】
上記炊飯器の他の形態においては、上記内鍋の開口部位置から底面に向かう約１／２位置までの間の上記内鍋の側壁は、ほぼ同面積の開口部面積を有する筒状に設けられ、更に底面に向かう約１／２の間の上記内鍋の側壁は、内側に向けて傾斜するように設けられ、上記内鍋の底部面積は上記開口部面積よりも小さくなるように設けられる。【００２２】
上記いずれかの炊飯器の他の形態においては、上記攪拌回転羽根は、外面に複数のリブを放射状に形成した略半球状の曲面形状を有する。【００２３】
上記いずれかの炊飯器の他の形態においては、上記内鍋の上記凸状突起は、内鍋側平坦部を有し、上記攪拌回転羽根の上記凹部は、上記内鍋側平坦部に対向する羽根側平坦部を有し、上記羽根側平坦部には、上記内鍋側平坦部側に向かって突出する小突起を有する。
【発明の効果】
【００２４】
この発明に基づいた炊飯器によれば、内鍋内に攪拌回転羽根を設けた場合であっても、米の目詰まりを生じさせることなく、また、内鍋を反転させた場合の攪拌回転羽根の内鍋からの落下を防止することのできる炊飯器を提供することが可能となる。
【図面の簡単な説明】
【００２５】
【図１】実施の形態における炊飯器の内部構造を示す図である。
【図２】実施の形態における炊飯器に採用される内鍋の平面図である。
【図３】実施の形態における炊飯器に採用される内鍋の正面図である。
【図４】図２中のＩＶ−ＩＶ線矢視断面図である。
【図５】図４中のＶで囲まれた領域の拡大断面図である。
【図６】実施の形態におけるに炊飯器の内鍋に攪拌回転羽根を装着した状態を示す平面図である。
【図７】図６中のＶＩＩ−ＶＩＩ線矢視断面図である。
【図８】実施の形態における炊飯器に採用される攪拌回転羽根の内部構造を示す図である。
【図９】図８中のＩＸ−ＩＸ線矢視断面図である。
【図１０】実施の形態における炊飯器に採用される攪拌回転羽根の外観を示す斜視図である。
【図１１】実施の形態における炊飯器に採用される攪拌回転羽根の外観を示す平面図である。
【図１２】実施の形態における炊飯器に採用される攪拌回転羽根の外観を示す正面図である。
【図１３】実施の形態における炊飯器に採用される攪拌回転羽根の外観を示す底面図である。
【図１４】図１１中のＸＩＶ−ＸＩＶ線矢視断面図である。
【図１５】図１４中のＸＶ−ＸＶ線矢視断面図である。
【図１６】背景技術における炊飯器の内部構造を示す図である。
【図１７】背景技術における炊飯器の内部構造を示す図である。
【発明を実施するための形態】
【００２６】
本発明に基づいた各実施の形態における炊飯器について、以下、図を参照しながら説明する。なお、以下に示す実施の形態は一例であり、種々の形態での実施が本発明の範囲内で可能である。また、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。
【００２７】
（炊飯器１００の概略構成）
図１に、本発明に基づいた実施の形態における炊飯器の内部構造を示す。この炊飯器１００は、炊飯器本体容器１０１の内部に、非磁性材料であるアルミ製の内鍋２を収容する外釜１を有する。外釜１は、炊飯器本体容器１０１に対して支持部材１０３により支持されている。
【００２８】
さらに、炊飯器本体容器１０１の内部には、内鍋２の加熱手段であるヒータ３と、ヒータ３の出力を調整するための内鍋温度センサ１０と、内鍋２の内部に収容され、米と水とからなる収容物１１を攪拌流動させる攪拌回転羽根５と、攪拌回転羽根５を回転駆動するために攪拌回転羽根５内に一体成型された従動用磁石７ｂ、従動用磁石７ｂに非接触でカップリングされ、駆動力を伝達する駆動用磁石６と、駆動用磁石６を回転させるためのモータ４と、駆動用磁石６を取り囲み内鍋２の凸状突起２ａ（図２、図４参照）に嵌合して位置決めを行う円筒状の円筒カバー９とを備えている。
【００２９】
この炊飯器１００の動作は、モータ４の回転を磁力で内鍋２内の攪拌回転羽根５に伝達し、攪拌回転羽根２が回転することで水流を生じさせ、内鍋２内の収容物１１を攪拌する。なお、ヒータ３は、加熱手段の一例であって、他の加熱手段として、ガス加熱、誘導加熱を用いることも可能である。
【００３０】
（内鍋２の詳細構造）
次に、図２から図５を参照して、内鍋２の詳細構造について説明する。図２は、内鍋２の平面図、図３は、内鍋の正面図、図４は、図２中のＩＶ−ＩＶ線矢視断面図、図５は、図４中のＶで囲まれた領域の拡大断面図である。
【００３１】
内鍋２は、非磁性材料であるアルミを成型加工している。図４に示すように、内鍋２の高さをｈとした場合、内鍋２の開口部位置から底面に向かう約１／２位置（ｈ／２）までの間の内鍋２の側壁２ｃは、ほぼ同面積の開口部面積を有する筒状に設けられている。また、底面に向かう約１／２の間の内鍋２の側壁２ｄは、内側に向けて傾斜するように設けられ、内鍋２の底部２ｅの面積は開口部面積よりも小さくなるように設けられている。
【００３２】
側壁２ｃの上端部には外方に張り出すフランジ部２ｆが設けられている。また、内鍋２の底部２ｅの略中央部分には、内鍋２の底部２ｅを外面側から内面側に向けて押出し、内側に向かって突出する凸状突起２ａが設けられている。凸状突起２ａは、内鍋側平坦部を有するハット型の形態である。凸状突起２ａの内鍋側平坦部には、磁性板２ｂが圧入されている（図５参照）。
【００３３】
側壁２ｄの傾斜は、特に低炊飯容量時に有効で、攪拌回転羽根５が遠心力で径方向に発生させた水流を側壁２ｄの傾斜で中央に自然還流するサイクルにより、停滞のない水流攪拌が可能になる。角度は急傾斜であるほど自然還流が促進されるが、内釜２の直径を大きくしないと容量が減少するため、内鍋２の大きさと水流とが適度にバランスする角度を設定すれば良い。
【００３４】
内鍋２に成形された凸状突起２ａは、攪拌回転羽根５の回転軸として用いられる。凸状突起２ａの反対面の凹部は駆動用磁石６の位置決め兼衝突防止用として有底筒状の円筒カバー９が嵌合して磁気カップリングが形成される。内鍋２に成形された凸状突起２ａの大きさの一例としては、直径約４０ｍｍ×高さ約１０ｍｍ程度の円筒形状とした。直径約４０ｍｍ×高さ約１０ｍｍ程度としたのは、攪拌回転羽根５を取り外した際に出っ張り過ぎず、小さ過ぎない比較的洗浄し易い凸形状になるためである。
【００３５】
凸状突起２ａの外面側に磁性板２ｂを圧入しているのは、攪拌回転羽根５内に成型、封入した脱落防止用磁石８（図７参照）との磁力による吸引作用を生じさせるためである。内鍋２を取り出した際、磁力により内鍋２から攪拌回転羽根５が容易に落下しないよう配慮したものである。なお、凸状突起２ａの外面側に磁石を圧入し、攪拌回転羽根５内に脱落防止用磁性材を封入してもかまわない。また、凸状突起２ａおよび攪拌回転羽根５の両方に、脱落防止用磁石を用いることも可能である。
【００３６】
この構成によれば、内鍋２の開口部面積より、底部の面積が小さく、且つ、内鍋２の内底面中央に凸状突起２ａを形成したことで、低炊飯容量時（２合未満）の米と水と収容物１１の流動に対し、側壁面２ｄが中心部に向けて傾斜した状態となるので、攪拌回転羽根５の回転により、側壁側２ｄに持ち上げられた後、重力で内鍋２の中心部へ還流する水流が起こり、内鍋２の内容量をあまり小さくすることなく、低炊飯容量時のみ攪拌効果を得ることができる。
【００３７】
なお、側壁２ｄが内側に向けて傾斜する位置を内鍋２の高さのｈ／２の場合について説明しているが、ｈ／２の高さ位置に限定されるものはない。内鍋２の開口部面積よりも底部面積が小さい形状であれば、低炊飯容量時における攪拌効果の向上を期待することができる。
【００３８】
（磁気カップリングと攪拌回転羽根５の構成）
次に、図６から図９を参照して、磁気カップリングと攪拌回転羽根５の構成について説明する。図６は、内鍋２に攪拌回転羽根５を装着した状態を示す平面図、図７は、図６中のＶＩＩ−ＶＩＩ線矢視断面図、図８は、攪拌回転羽根５の内部構造を示す図、図９は、図８中のＩＸ−ＩＸ線矢視断面図である。
【００３９】
内鍋２の凸状突起２ａによって構成される外面の凹部内に円筒カバー９が嵌合している。円筒カバー９の内部に位置するモータ４の回転軸４ａには、駆動用磁石６が装着されたインナーヨーク６ａが固定されている。駆動用磁石６は、円周上等ピッチで６箇所設けられている。また、内鍋２の凸状突起２ａの内面側には、フッ素樹脂等で一体成型された攪拌回転羽根５の凹部５ｂが回転可能に嵌合している。
【００４０】
このように、内鍋２の凸状突起２ａの内面側に攪拌回転羽根５の凹部５ｂが嵌合し、内鍋２の凸状突起２ａの外面側に円筒カバー９が嵌合することで、駆動用磁石６と従動用磁石７ｂとの位置決めが正確に行なわれる。さらに、円筒カバー９が設けられることで、内鍋２の外面に駆動用磁石６が直接接触することがなく、内鍋２を損傷から保護することができる。
【００４１】
攪拌回転羽根５は、環状のアウターヨーク７ａを有し、このアウターヨーク７ａの内側の駆動用磁石６に対して対向する位置に、合計６個の従動用磁石７ｂが装着され、駆動用磁石６と従動用磁石７ｂとの磁力バランスが図られるように位置決めされている。攪拌回転羽根５の中央部分には、脱落防止用磁石８が封入されている（図７、図１４、および図１５参照）。駆動用磁性材６と従動用磁性材７ｂとは、モータ４の回転軸４ａと垂直な平面内で結合（磁気カップリング）される。これにより、回転途中における磁気カップリングの解除が効果的に低減でき、攪拌性能を確保することができる。
【００４２】
内鍋２を外釜１から取り外した状態では、上述したように、内鍋２の凸状突起２ａ内に圧入した磁性板２ｂと攪拌回転羽根５の中央に同じく一体成型された脱落防止用磁石８とが相互の吸引し、攪拌回転羽根５の自然脱落を防止しつつ、意図的な外力での取り外しを可能としている。
【００４３】
なお、駆動用磁石６および従動用磁石７ｂにそれぞれ磁石を用いる場合について説明しているが、少なくともいずれか一方が磁化された磁石であり、他方が磁性材であってもかまわない。
【００４４】
次に、図１０から図１３を参照して、攪拌回転羽根５の外観形状について説明する。図１０は、攪拌回転羽根５の外観を示す斜視図、図１１は、攪拌回転羽根５の外観を示す平面図、図１２は、攪拌回転羽根の外観を示す正面図、図１３は、攪拌回転羽根の外観を示す底面図である。
【００４５】
攪拌回転羽根５は円形曲面で構成した略半円状の外面に十字形状に４個の水流発生用リブ５ａを有している。内部には上述した従動用磁石７bと脱落防止用磁石８とが、フッ素樹脂等で一体成型されている。攪拌回転羽根５の大きさは、直径約６０ｍｍ〜約７０ｍｍ、高さ約１５ｍｍ〜約２０ｍｍ程度の略半球状の形状である。なお、水流発生用リブ５ａの数量は４個に限られない。
【００４６】
攪拌回転羽根５の外面形状として、円形曲面で構成した略半円状の外面を採用することで、杓文字が曲面に沿って逃げる形であり、またフッ素樹脂材は低摩擦であるため、杓文字が接触で滑り、水流発生と良好なほぐし性とを両立している。攪拌回転羽根５の外面形状や、リブの形状、数量はこの形に限定されるものでなく、類似し、同様の効果が発揮できるものであれば良い。
【００４７】
また、内鍋２の凸状突起２ａと嵌合する、攪拌回転羽根５の内面側の凹部５ｂの平坦部には、内鍋２の凸状突起２ａの平坦部側に向かって突出する小突起５ｃが複数設けられている。この小突起５ｃを設けることで、内鍋２の凸状突起２ａと攪拌回転羽根５の凹部５ｂとの接触が点接触となる。
【００４８】
さらに、駆動用磁石６と従動用磁石７ｂとの磁力バランス点を、小突起５ｃが内鍋２の凸状突起２ａの上面と接触しない位置にバランスさせておけば、攪拌回転羽根５の回転時に攪拌回転羽根５が僅かに浮上した形で回転し、水流や米の重みの影響を受けて接触しても負荷が小さくなる。
【００４９】
その結果、攪拌回転羽根５が内鍋２の凸状突起２ａに嵌合した状態では、点接触状態になるので摺動抵抗の小さい回転系が構成され、低電力駆動が達成されるとともに磨耗しにくく耐久性が向上する。これにより、回転部分の経年劣化を抑制することでき、回転振動や回転音が大きくなることを抑制し、炊飯器の長期信頼性を向上させることができる。
【００５０】
以上、本実施の形態に基づいた炊飯器を用いることにより、米の目詰まりを生じさせることなく、米の低炊飯容量でも十分な水流流動ができ、且つ、ご飯をほぐす際にも攪拌回転羽根５が大きく邪魔にならず、且つ、攪拌回転羽根５の清掃性が良好で不用意な落下がなく、且つ、回転部分の信頼性も高いなど、多大な効果を得ることが可能となる。
【００５１】
なお、本発明の実施の形態について説明したが、今回開示された実施の形態は全ての点で例示であって制限的なものではないと考えられるべきである。本発明の範囲は請求の範囲によって示され、請求の範囲と均等の意味および範囲内での全ての変更が含まれることが意図される。
【符号の説明】
【００５２】
１  外釜、２  内鍋、２ａ  凸状突起、２ｂ  磁性板、２ｃ,２ｄ  側壁、２ｅ  底部、２ｆ  フランジ部、３  ヒータ、４  モータ、４ａ  回転軸、５  攪拌回転羽根、５ａ  水流発生用リブ、５ｂ  凹部、５ｃ  小突起、６  駆動用磁石、６ａ  インナーヨーク、７ａ  アウターヨーク、７ｂ  従動用磁石、８  脱落防止用磁石、９  円筒カバー、１０  内鍋温度センサ、１１  収容物（米、水）、１００  炊飯器、１０１  炊飯器本体容器、１０３  支持部材。
【図１】
2011068078.tif 000003
【図２】
2011068078.tif 000004
【図３】
2011068078.tif 000005
【図４】
2011068078.tif 000006
【図５】
2011068078.tif 000007
【図６】
2011068078.tif 000008
【図７】
2011068078.tif 000009
【図８】
2011068078.tif 000010
【図９】
2011068078.tif 000011
【図１０】
2011068078.tif 000012
【図１１】
2011068078.tif 000013
【図１２】
2011068078.tif 000014
【図１３】
2011068078.tif 000015
【図１４】
2011068078.tif 000016
【図１５】
2011068078.tif 000017
【図１６】
2011068078.tif 000018
【図１７】
2011068078.tif 000019
【国際調査報告】
2011068078.tif 000020
2011068078.tif 000021